(57)【要約】      （修正有）【課題】汚濁の累積を防止し、洗浄に便利な滑り止めマットの提供。【解決手段】平板４が設けられ、該平板の表面に所定のピッチで円弧状に突出する複数の円形突起４１が設けられ、並びに円形突起の中央頂点に円状の小径の凸点４２が設けられ、該凸点と円形突起の接続部分及び円形突起と平板の接続部分に円弧角が設けられて、均一に円形突起が配設された滑り止めマット１００が構成され、該滑り止めマットは地面に置かれ、理想的な等ピッチで配設された円形突起と凸点により、滑り止め効果を達成し、且つ凸点、円形突起及び平板間の円弧角により、汚濁の累積を防止し、洗浄に便利とされている。【選択図】図４
0003113001.tif 000002
【実用新案登録請求の範囲】
【請求項１】
平板を具え、該平板の表面に所定のピッチで円弧状に突出する複数の円形突起が設けられ、並びに円形突起の中央頂点に円状の小径の凸点が設けられた滑り止めマットにおいて、
これら凸点と円形突起の接続部分及び円形突起と平板の接続部分に異なる角度の円弧角が設けられて、汚れが溜まりにくく、且つ洗浄しやすいことを特徴とする、滑り止めマット。
【請求項２】
請求項１記載の滑り止めマットにおいて、円形突起と凸点がモールディング方式で平板より上向きに浮き上がるように形成されたことを特徴とする、滑り止めマット。
【請求項３】
請求項１記載の滑り止めマットにおいて、円形突起と凸点及び平板が一体成形により形成されたことを特徴とする、滑り止めマット。
【請求項４】
請求項１記載の滑り止めマットにおいて、円形突起の凸点の上端と平板底端との距離が４．５ｍｍとされたことを特徴とする、滑り止めマット。
【請求項５】
請求項１記載の滑り止めマットにおいて、各円形突起の中心点の間距が４７ｍｍとされたことを特徴とする、滑り止めマット。
【請求項６】
請求項１記載の滑り止めマットにおいて、円形突起の直径が２０ｍｍとされたことを特徴とする、滑り止めマット。
【考案の詳細な説明】
【技術分野】
【０００１】
本考案は一種の滑り止めマットに係り、特に、等ピッチで配列された円形突起と凸点により確実な滑り止め効果を達成し、且つ洗浄しやすい滑り止めマットに関する。
【背景技術】
【０００２】
一般に、台所、浴室或いは食品加工工場は湿りやすいため、通常地面に滑り止め作用を具えた板或いはマットが敷設されて走行時に滑って転ぶのを防止している。周知の滑り止めマットには例えば図１に示されるように、マット本体１に並列に配置された尖状波形紋１１が設けられ、この尖状波形紋１１により滑り止め効果を構成したものがある。また、図２に示されるように、マット本体２の表面に均一に円形柱体２１が配設され、該円形柱体２１とマット本体２の表面の高さの差により滑り止め作用を構成したものがある。尖状波形紋１１或いは円形柱体２１のいずれも確実な滑り止め効果を達成できず、且つ死角の存在により汚物が溜まりやすく洗浄時にも相当困難であり、長期の使用の後には全体の滑り止めマットを廃棄しなければならない。
【０００３】
また図３に示されるのは特許文献１に記載の別の形式の滑り止めマットであり、それは平板３の表面に円弧状の円形突起３１が設けられ、更に円形突起３１の中央頂点に円状の小さい凸点３２が設けられて周知の滑り止めマットの欠点を改善して滑り止め効果を向上している。しかしこの構造は、円形突起３１と凸点３２の間、及び円形突起３１と平板３の間が直角３２１、３１１とされ、これら直角３２１、３１１に汚れが溜まりやすく且つ洗浄しにくいことである。
【０００４】
【特許文献１】米国特許第２００１／００２１４３５Ａ１号明細書
【考案の開示】
【考案が解決しようとする課題】
【０００５】
本考案の主要な目的は一種の滑り止めマットを提供することにあり、それは確実な滑り止め効果を達成し、且つ汚れが溜まりにくく洗浄しやすいものとする。
【０００６】
前述の滑り止めマットは平板を具え、該平板の表面に所定のピッチで円弧状に突出する複数の円形突起が設けられ、並びに円形突起の中央頂点に円状の小径の凸点が設けられ、該凸点と円形突起の接続部分及び円形突起と平板の接続部分に円弧角が設けられて、汚れが溜まりにくく、且つ洗浄時に死角がなく滑り止めマットの清潔を保持できる。
【０００７】
前述の滑り止めマットは、そのうち円形突起の凸点の上端と平板底端との距離が４．５ｍｍとされるのが良く、各円形突起の中心点の間距は４７ｍｍとされるのが良く、円形突起の直径は２０ｍｍとされるのが良い。
【課題を解決するための手段】
【０００８】
請求項１の考案は、平板を具え、該平板の表面に所定のピッチで円弧状に突出する複数の円形突起が設けられ、並びに円形突起の中央頂点に円状の小径の凸点が設けられた滑り止めマットにおいて、
これら凸点と円形突起の接続部分及び円形突起と平板の接続部分に異なる角度の円弧角が設けられて、汚れが溜まりにくく、且つ洗浄しやすいことを特徴とする、滑り止めマットとしている。
請求項２の考案は、請求項１記載の滑り止めマットにおいて、円形突起と凸点がモールディング方式で平板より上向きに浮き上がるように形成されたことを特徴とする、滑り止めマットとしている。
請求項３の考案は、請求項１記載の滑り止めマットにおいて、円形突起と凸点及び平板が一体成形により形成されたことを特徴とする、滑り止めマットとしている。
請求項４の考案は、請求項１記載の滑り止めマットにおいて、円形突起の凸点の上端と平板底端との距離が４．５ｍｍとされたことを特徴とする、滑り止めマットとしている。
請求項５の考案は、請求項１記載の滑り止めマットにおいて、各円形突起の中心点の間距が４７ｍｍとされたことを特徴とする、滑り止めマットとしている。
請求項６の考案は、請求項１記載の滑り止めマットにおいて、円形突起の直径が２０ｍｍとされたことを特徴とする、滑り止めマットとしている。
【考案の効果】
【０００９】
本考案の滑り止めマットは均等に配設された円形突起と円形突起の凸点により確実な滑り止め効果を達成し、且つ凸点、円形突起と平板間の円弧角により、汚れが溜まりにくく洗浄しやすく、ゆえに本考案は実用性と新規性を具えている。
【考案を実施するための最良の形態】
【００１０】
図４、５、６、及び図８、９、１０、１１を参照されたい。本考案は平板４を具え、該平板４の表面に所定のピッチで円弧状に突出する複数の円形突起４１が設けられ、並びに各円形突起４１の中央頂点に円状の小径の凸点４２が設けられて滑り止めマット１００が構成されている。そのうち該凸点４２と円形突起４１の接続部分に第１円弧角ａが設けられ、円形突起４１に第２円弧角ｂが設けられ、並びに円形突起４１にあって平板４に近接する部分に第３円弧角ｃが設けられ、円形突起４１と平板４の接続部分に第４円弧角ｄが設けられ、滑り止めマット１００が地面に置かれる時、理想のピッチ、高さの円形突起４１及び凸点４２により最良の滑り止め効果を達成でき、且つ凸点４２、円形突起４１及び平板４の接続部分に第１から第４円弧角ａ、ｂ、ｃ、ｄが設けられたことにより、汚れが溜まるのを防止でき、且つ洗浄に便利で滑り止めマット１００の清潔と使用寿命を保てる。
【００１１】
前述の滑り止めマットはステンレス等の金属材で形成されるが、セラミックの材質とされ得て、そのうち、円形突起４１と凸点４２はモールディングにより上向きに浮き上がるように形成されるか、一体成形により形成される。
【００１２】
また本考案を実際に製造する時は、実験による計算から、該円形突起４１の凸点４２の上端と平板４の底端の距離Ｘは４．５ｍｍとされるのがよく、円形突起４１の中心点の間距Ｙは４７ｍｍとされるのがよく、円形突起４１の直径は２０ｍｍとされるのがよい。
【００１３】
図７を参照されたい。本考案は前述の円形突起４１が上向きに浮き上がった設計とされるほか、一体成形により円形突起４１と凸点４２と平板４が厚塊状に形成されても、同様に滑り止め効果を達成できる。
【図面の簡単な説明】
【００１４】
【図１】周知の滑り止めマットの立体図である。
【図２】周知の別の滑り止めマットの立体図である。
【図３】周知の更に別の滑り止めマットの立体図である。
【図４】本考案の立体図である。
【図５】本考案の断面図である。
【図６】本考案の平面図である。
【図７】本考案の別の実施例の断面図である。
【図８】本考案の各円弧角の構造図である。
【図９】本考案の各円弧角の構造図である。
【図１０】本考案の各円弧角の構造図である。
【図１１】本考案の各円弧角の構造図である。
【符号の説明】
【００１５】
１  マット本体        ３２  凸点
１１  波形紋          ３１１、３２１  直角
２  マット本体        ４  平板
２１  円形柱体        ４１  円形突起
３  平板              ４２  凸点
３１  円形突起        ａ、ｂ、ｃ、ｄ  円弧角
１００  滑り止めマット
【図１】
0003113001.tif 000003
【図２】
0003113001.tif 000004
【図３】
0003113001.tif 000005
【図４】
0003113001.tif 000006
【図５】
0003113001.tif 000007
【図６】
0003113001.tif 000008
【図７】
0003113001.tif 000009
【図８】
0003113001.tif 000010
【図９】
0003113001.tif 000011
【図１０】
0003113001.tif 000012
【図１１】
0003113001.tif 000013